(57)【要約】【課題】置き忘れ等のリスクを解消しつつ、装置本体の内部構造や内部回路配置を変更することなく容易に実施可能であって、しかも耐久性においても優れるデータ通信装置を提供する。【解決手段】腕時計１は、時計本体２と、この時計本体２の係止された樹脂製のリストバンド３とで構成されている。時計本体２は、インナーケース４に、該インナーケース４の上部及び外周を覆う樹脂製のアウターケース５が着脱自在に外装された構造を有している。アウターケース５の内部には、データキャリアモジュール２２が収容配置されている。このデータキャリアモジュール２２は、データキャリアＩＣ２４と、このデータキャリアＩＣ２４に接続され電磁誘導により信号を送受信するためのアンテナコイル２６とによって構成されている。アンテナコイル２６は、アウターケース５の中央部に設けられている開口部を囲繞するように配置されている。【選択図】      図１
2004214879.tif 000002
【特許請求の範囲】
【請求項１】
装置本体とこの装置本体を身体に装着するための装着手段とを備えるとともに、アンテナコイルとこのアンテナコイルを介して外部の通信装置と非接触でデータ通信を行うデータ通信手段とを備えるデータ通信装置において、
前記装置本体の上部に設けられたアウターケースに前記アンテナコイルとデータ通信手段とを配置したことを特徴とするデータ通信装置。
【請求項２】
前記アウターケースを非導体で形成し、その内部に前記アンテナコイルとデータ通信手段とを配置したことを特徴とする請求項１記載のデータ通信装置。
【請求項３】
前記アウターケースを前記装置本体に対して着脱自在としたことを特徴とする請求項１又は２記載のデータ通信装置。
【請求項４】
装置本体とこの装置本体を身体に装着するための装着手段とを備えるとともに、アンテナコイルとこのアンテナコイルを介して外部の通信装置と非接触でデータ通信を行うデータ通信手段とを備えるデータ通信装置において、
前記装置本体の上面に設けられた表示部のカバー部材を囲繞するベゼルに、前記アンテナコイルとデータ通信手段とを配置したことを特徴とするデータ通信装置。
【請求項５】
前記ベゼルを非導体で形成し、その内部に前記アンテナコイルとデータ通信手段とを配置したことを特徴とする請求項４記載のデータ通信装置。
【請求項６】
前記ベゼルは前記装置本体に対して着脱自在であるとともに、他のデータ通信装置の装置本体に装着可能であることを特徴とする請求項４又は５記載のデータ通信装置。
【請求項７】
前記ベゼルは、前記カバー部材を囲繞する環状部とこの環状部の一部に設けられ外側に突出する突出部とを備え、前記環状部に前記アンテナコイルを配置し、前記突出部に前記データ通信手段を配置したことを特徴とする請求項４、５又は６記載のデータ通信装置。
【請求項８】
前記ベゼルは、前記装置本体に設けられているアナログ時計表示部を囲繞する第１の窓部と、デジタル時計表示部を囲繞する第２の窓部とを有することを特徴とする請求項４記載のデータ通信装置。
【請求項９】
装置本体とこの装置本体を身体に装着するための装着手段とを備えるとともに、アンテナコイルとこのアンテナコイルを介して外部の通信装置と非接触でデータ通信を行うデータ通信手段とを備えるデータ通信装置において、
前記装置本体の底面に設けられている裏蓋の下面側に環状の凹部を形成する一方、この環状の凹部に配置されるリング部材を設け、このリング部材に前記アンテナコイルとデータ通信手段とを配置したことを特徴とするデータ通信装置。
【請求項１０】
前記リング部材を非導体で形成し、その内部に前記アンテナコイルとデータ通信手段とを配置したことを特徴とする請求項４記載のデータ通信装置。
【請求項１１】
前記リング部材を着脱自在としたことを特徴とする請求項８記載のデータ通信装置。
【請求項１２】
装置本体とこの装置本体を身体に装着するための装着手段とを備えるとともに、アンテナコイルとこのアンテナコイルを介して外部の通信装置と非接触でデータ通信を行うデータ通信手段とを備えるデータ通信装置において、
前記装置本体の底面に設けられている裏蓋の下面側に環状の凹部を形成する一方、前記アンテナコイルとデータ通信手段とが配置された第１及び第２のリング部材とを形成し、前記第１のリング部材を前記凹部に配置するとともに、前記第２のリング部材を前記装置本体の上面部に配置したことを特徴とするデータ通信装置。
【請求項１３】
前記データ通信手段は、外部とデータを送受するためのデータ入出力端子を有し、
前記装置本体は、内部回路に接続され前記データ入出力端子に接触する接触部を有し、
前記装置本体の内部回路と前記データ通信手段とを、前記データ入出力端子及び接触部を介して２線式シリアル・バスで接続したことを特徴とする請求項１、４、９又は１２記載のデータ通信装置。
【発明の詳細な説明】
【０００１】
【発明の属する技術分野】
【０００２】
本発明は、身体に装着されて使用されるデータ通信装置に関する。
【０００３】
【従来の技術】
【０００４】
今日においては、ＩＣカードによるクレジットカードや銀行カード、キャッシュカード等、非接触式ＩＣカードからなる電子乗車券や電子定期等、あるいは非接触式電子パスを用いたスキー場のリフト券等が実用化されつつある。前記キャッシュカード等にあっては、薄型でポケットや財布の中に入れて持ち運べることから携帯性がよく、偽造や改竄がしにくいのでセキュリティも高い。また、非接触式ＩＣカードからなる電子定期等にあっては、財布等からカードを取り出してリーダーに通さずとも、改札できるので、混雑も減少し、改札機も故障しにくく、メンテナンスが容易である。また、アンテナコイルとＩＣチップとからなる非接触式電子デバイスをブレスレットやネックレスに装着したスキー場のリフト券も実用化されるに至っており、このリフト券をかざすだけで改札ができるので、ストックで両手がふさがっているスキーヤーの便利性を向上させ得る。
【０００５】
しかしながら、これらキャッシュカードや電子定期、あるいはネックレス型のリフト券等にあっては、薄型あるいは小型であり携帯に優れるとはいえども、置き忘れや盗難等のリスクが伴う。そこで、アンテナコイルとＩＣチップとからなる非接触式電子デバイスを、日常的な携帯品である腕時計の時計本体内部に組み込んだり（例えば、特許文献１参照。）、腕時計のリストバンドに埋め込むことにより（例えば、特許文献２参照。）、置き忘れ等のリスクを解消することが提案されている。
【０００６】
【特許文献１】
特開２００２−２５０７８３号公報
【特許文献２】
特開２０００−２８６７６１号公報
【０００７】
【発明が解決しようとする課題】
【０００８】
しかしながら、非接触式電子デバイスを腕時計の時計本体内部に組み込んだ場合には、時計本体の内部構造を変更したり内部の回路配置を変更する等、時計本体自体の大幅な設計変更を余儀なくされてしまう。したがって、現存する腕時計等のリスト装置に非接触データ通信機能を容易に付加することができない。
【０００９】
また、非接触式電子デバイスを腕時計のリストバンドに組み込んだ場合には、時計本体の内部構造を変更したり内部の回路配置を変更する必要はない。しかし、薄型のリストバンド内部に非接触式電子デバイスを埋め込まなければならないことから、技術的な困難性が伴う。また、リストバンドは使用者の腕に装着する際に湾曲状となることから、これによって生ずる外力により内部に配置されているアンテナコイルやＩＣチップとが破損するおそれもあり、耐久性上の問題も生ずる。
【００１０】
本発明は、かかる従来の課題に鑑みてなされたものであり、置き忘れ等のリスクを解消しつつ、装置本体の内部構造や内部回路配置を変更することなく容易に実施可能であって、しかも耐久性においても優れるデータ通信装置を提供することを目的とする。
【００１１】
【課題を解決するための手段】
【００１２】
前記課題を解決するために請求項１に係る発明にあっては、装置本体とこの装置本体を身体に装着するための装着手段とを備えるとともに、アンテナコイルとこのアンテナコイルを介して外部の通信装置と非接触でデータ通信を行うデータ通信手段とを備えるデータ通信装置において、前記装置本体の上部に設けられたアウターケースに前記アンテナコイルとデータ通信手段とを配置してある。
【００１３】
したがって、装置本体の内部構造を変更したり内部の回路配置を変更することなく、アンテナコイルとデータ通信手段とを配置することができる。よって、置き忘れ等のリスクを解消しつつ、現存する身体装着型の機器における装置本体の内部構造を変更したり内部の回路配置を設計変更することなく、技術的にも容易に非接触データ通信機能を付加することが可能となる。また、身体への装着に伴ってアンテナコイルとデータ通信手段とに外力が加わることもなく、よって、置き忘れ等のリスクを解消しつつ、耐久性を向上させることもできる。
【００１４】
また、請求項２の発明に係るデータ通信装置にあっては、前記アウターケースを非導体で形成し、その内部に前記アンテナコイルとデータ通信手段とを配置してある。したがって、外部の通信装置と非接触でデータ通信を行う際に、データ通信装置のアンテナコイルと外部通信装置のアンテナコイルとの間に誘導電磁界が支障なく形成され、アンテナコイルを介して外部の通信装置と非接触でデータ通信する際のデータ通信精度が向上する。
【００１５】
また、請求項３の発明に係るデータ通信装置にあっては、前記アウターケースを前記装置本体に対して着脱自在としてある。したがって、既存の装置本体に非接触データ通信機能を容易に付加することができるばかりでなく、ユーザーの嗜好や用途、サービスによって、データ通信装置の外観デザインやスタイルも自由に選択あるいは変更できる。また、このデータ通信装置を利用するシステムを採用するサービス業者等にとっても、アンテナコイルとデータ通信手段とが配置されたアウターケースのみを製造して、低コストで、多様なデザインのデータ通信装置をユーザーに提供できるメリットが生ずる。さらに、厚さ方向における部品の重畳を少なくすることができ、着脱自在であっても装置全体の薄型化を図ることができる。
【００１６】
また、請求項４に係る発明にあっては、装置本体とこの装置本体を身体に装着するための装着手段とを備えるとともに、アンテナコイルとこのアンテナコイルを介して外部の通信装置と非接触でデータ通信を行うデータ通信手段とを備えるデータ通信装置において、前記装置本体の上面に設けられた表示部のカバー部材を囲繞するベゼルに、前記アンテナコイルとデータ通信手段とを配置した。
【００１７】
したがって、装置本体の内部構造を変更したり内部の回路配置を変更することなく、アンテナコイルとデータ通信手段とを配置することができる。よって、置き忘れ等のリスクを解消しつつ、現存する身体装着型の機器における装置本体の内部構造を変更したり内部の回路配置を設計変更することなく、技術的にも容易に非接触データ通信機能を付加することが可能となる。また、身体への装着に伴ってアンテナコイルとデータ通信手段とに外力が加わることもなく、よって、置き忘れ等のリスクを解消しつつ、耐久性を向上させることもできる。
【００１８】
また、請求項５の発明に係るデータ通信装置にあっては、前記ベゼルを非導体で形成し、その内部に前記アンテナコイルとデータ通信手段とを配置してある。したがって、外部の通信装置と非接触でデータ通信を行う際に、データ通信装置のアンテナコイルと外部の通信装置のアンテナコイルとの間に誘導電磁界が支障なく形成され、アンテナコイルを介して外部の通信装置と非接触でデータ通信する際のデータ通信精度が向上する。
【００１９】
また、請求項６の発明に係るデータ通信装置にあっては、前記ベゼルは前記装置本体に対して着脱自在であるとともに、他のデータ通信装置の装置本体に装着可能である。したがって、既存の装置本体に容易に非接触データ通信機能を付加することができるばかりでなく、ユーザーの嗜好や用途、サービスによって、データ通信装置の外観デザインやスタイルも自由に選択あるいは変更できる。また、このデータ通信装置を利用するシステムを採用するサービス業者等にとっても、アンテナコイルとデータ通信手段とが配置されたベゼルのみを製造して、低コストで、多様なデザインのデータ通信装置をユーザーに提供できるメリットが生ずる。さらに、厚さ方向における部品の重畳を少なくすることができ、着脱自在であっても装置全体の薄型化を図ることができる。
【００２０】
また、請求項７の発明に係るデータ通信装置にあっては、前記ベゼルは、前記カバー部材を囲繞する環状部とこの環状部の一部に設けられ外側に突出する突出部とを備え、前記環状部に前記アンテナコイルを配置し、前記突出部に前記データ通信手段を配置してある。したがって、環状部と突出部とを有するベゼルの形状を有効に利用して、アンテナコイルとデータ通信手段と困難性を伴わずに配置することができる。
【００２１】
また、請求項８の発明に係るデータ通信装置にあっては、前記ベゼルは、前記装置本体に設けられているアナログ時計表示部を囲繞する第１の窓部と、デジタル時計表示部を囲繞する第２の窓部とを有する。したがって、装置本体がアナログ時計表示部とデジタル時計表示部とを有する時計本体であっても、アナログ時計表示部とデジタル時計表示部の視認性を低下させることなく、非接触データ通信機能を付加することが可能となる。
【００２２】
また、請求項９に係る発明にあっては、装置本体とこの装置本体を身体に装着するための装着手段とを備えるとともに、アンテナコイルとこのアンテナコイルを介して外部の通信装置と非接触でデータ通信を行うデータ通信手段とを備えるデータ通信装置において、前記装置本体の底面に設けられている裏蓋の下面側に環状の凹部を形成する一方、この環状の凹部に配置されるリング部材を設け、このリング部材に前記アンテナコイルとデータ通信手段とを配置してある。
【００２３】
したがって、装置本体の内部構造を変更したり内部の回路配置を変更することなく、アンテナコイルとデータ通信手段とを配置することができる。よって、置き忘れ等のリスクを解消しつつ、現存する身体装着型の機器における装置本体の内部構造を変更したり内部の回路配置を設計変更することなく、技術的にも容易に非接触データ通信機能を付加することが可能となる。また、身体への装着に伴ってアンテナコイルとデータ通信手段とに外力が加わることもなく、よって、置き忘れ等のリスクを解消しつつ、耐久性を向上させることもできる。
【００２４】
また、請求項１０の発明に係るデータ通信装置にあっては、前記リング部材を非導体で形成し、その内部に前記アンテナコイルとデータ通信手段とを配置してある。したがって、外部の通信装置と非接触でデータ通信を行う際に、データ通信装置のアンテナコイルと外部通信装置のアンテナコイルとの間に誘導電磁界が支障なく形成され、アンテナコイルを介して外部の通信装置と非接触でデータ通信する際のデータ通信精度が向上する。
【００２５】
また、請求項１１の発明に係るデータ通信装置にあっては、前記リング部材を着脱自在としてある。したがって、既存の装置本体に容易に非接触データ通信機能を付加することができるばかりでなく、ユーザーの嗜好や用途、サービスによって、データ通信装置の外観デザインやスタイルも自由に選択あるいは変更できる。また、このデータ通信装置を利用するシステムを採用するサービス業者等にとっても、アンテナコイルとデータ通信手段とが配置されたリング部材のみを製造して、低コストで、多様なデザインのデータ通信装置をユーザーに提供できるメリットが生ずる。さらに、厚さ方向における部品の重畳を少なくすることができ、着脱自在であっても装置全体の薄型化を図ることができる。
【００２６】
また、請求項１２の発明に係るデータ通信装置にあっては、装置本体とこの装置本体を身体に装着するための装着手段とを備えるとともに、アンテナコイルとこのアンテナコイルを介して外部の通信装置と非接触でデータ通信を行うデータ通信手段とを備えるデータ通信装置において、前記装置本体の底面に設けられている裏蓋の下面側に環状の凹部を形成する一方、前記アンテナコイルとデータ通信手段とが配置された第１及び第２のリング部材とを形成し、前記第１のリング部材を前記凹部に配置するとともに、前記第２のリング部材を前記装置本体の上面部に配置してある。したがって、現存する装置本体の内部構造を変更したり内部の回路配置を設計変更することなく、技術的にも容易に異なる２種の外部通信装置と非接触でデータ通信を行う機能を付加することができる。
【００２７】
また、請求項１３の発明に係るデータ通信装置にあっては、前記データ通信手段は、外部とデータを送受するためのデータ入出力端子を有し、前記装置本体は、内部回路に接続され前記データ入出力端子に接触する接触部を有し、前記装置本体の内部回路と前記データ通信手段とを、前記データ入出力端子及び接触部を介して２線式シリアル・バスで接続してある。
【００２８】
したがって、現存する身体装着型の機器における装置本体の内部構造を変更したり内部の回路配置を設計変更することなく、データ通信手段と装置本体内部の回路とのデータ送受信を達成することができる。よって、装置本体側に設けられているスイッチや表示部をデータ通信手段のデータ出力装置として用いることもでき、あるいはデータ通信手段が有するデータを装置本体側のＬＳＩやメモリに読み込み記憶して表示部に表示することができ、これにより、装置本体の多機能化を図ることができる。
【００２９】
【発明の実施の形態】
【００３０】
（第１の実施の形態）
以下、本発明の一実施の形態を図にしたがって説明する。
本実施の形態は、本発明を腕時計に適用したものである。図１〜図３は本発明の第１の実施の形態を示すものであり、図１は本実施の形態の断面図、図２は分解断面図、図３は分解斜視図である。図に示すように、この腕時計１は、アウトドアやスポーツ用の腕時計としての外観を備えたものであって、時計本体２と、この時計本体２の係止された樹脂製のリストバンド３とで構成されている。時計本体２は、リストバンド３が係止された先かん取付部４ａ，４ａを有する強化樹脂製のインナーケース４に、インナーケース４の上部及び外周を覆う樹脂製のアウターケース５が着脱自在に外装された構造を有している。インナーケース４の中央上面には、樹脂製の表示見切り板７が配置されている一方、インナーケース４の上方を閉鎖する風防ガラス８が防水パッキン９を介して嵌着されている。なお、アウターケース５に覆われたインナーケース４の周壁には複数の操作ボタン１０等が取り付けられている。
【００３１】
さらに、インナーケース４の内部には樹脂製あるいは合成ゴム製の緩衝リング１２、緩衝材リング１３が重なって内嵌されており、その内側に時計モジュール１４、緩衝材１５が順に収容される。そして、インナーケース４の下方開口部が、防水パッキン１６を介して止着された樹脂製の裏蓋１７によって密閉され、裏蓋１７上に電圧ブザー３６が配置されている。
【００３２】
前記時計モジュール１４は、ハウジング材１９により位置決めされた時計用ＬＳＩ基板２１を有し、この時計用ＬＳＩ基板２１上にはＬＣＤ表示パネル２３が設けられ、また、ハウジング材１９の下面側には電池２０が配置されている。
【００３３】
前記アウターケース５の内部には、データキャリアモジュール２２が収容配置されている。データキャリアモジュール２２は、データキャリアＩＣ２４と、このデータキャリアＩＣ２４に接続され電磁誘導により信号を送受信するためのアンテナコイル２６とによって構成されている。そして、アンテナコイル２６は、アウターケース５の中央部に設けられている開口部５ａを囲繞するように配置されている。
【００３４】
図４は、前記データキャリアモジュール２２とリーダー／ライター１００の回路構成を示すブロック図である。図示のようにデータキャリアモジュール２２のデータキャリアＩＣ２４は、データキャリア側アンテナコイル２６の両端部に接続された同調コンデンサ２０１を有するともに、ＡＣ／ＤＣコンバータ２０２、電源制御部２０６、クロック再生部２０３、復調部２０４、及び復号部２０５を有している。  電磁誘導によってアンテナコイル２６に発生した電流は、ＡＣ／ＤＣコンバータ２０２で整流されて、データキャリアモジュール２２を駆動するための電源として電源制御部２０６に送られる。そして、電源制御部２０６はデータキャリアモジュール２２の各部に電源供給を行うと共に電源制御部の状態をＩＣカード制御部２０７に伝える。また、電磁誘導によってアンテナコイル２６で受信した信号からクロック再生部２０３でクロックを再生すると共に、復調部２０４において受信したデータを復調し、復号部２０５において復号処理を行う。そして、前記生成されたクロックと前記復号処理されたデータはＩＣカード制御部２０７に入力される。
また、ＩＣカード制御部２０７は、これら各部から入力されるデータ等に基づき、メモリー２０８に記憶されているデータの中からリーダー／ライター１００に送出するデータを符号化部２０９に供給し、この符号化部２０９で符号化されたデータは変調部２１０で変調されて、データキャリア側アンテナコイル２６に送出されるように構成されている。
【００３５】
一方、リーダー／ライター１００は、リーダー／ライター側アンテナコイル１０１の一端に同調コンデンサ１０２を介して接続されたアンテナ駆動回路１０３と復調部１０４とを有している。電磁誘導によってリーダー／ライター側アンテナコイル１０１が受信した信号はこの復調部１０４で復調され、フィルター＆増幅部１０５にてフィルタリングされるとともに増幅され、復号部１０６でデータに復号されて制御装置／システム１０７に供給される。また、データキャリアモジュール２２に送出するデータは、前記制御装置／システム１０７から符号化部１０８に送られて符号化部１０８において符号化され、変調部１０９で変調されてアンテナ駆動回路１０３に供給される。アンテナ駆動回路１０３は、発振部１１０から出力される所定周波数のクロックと、変調部１０９で変調された信号とに基づき、リーダー／ライター側アンテナコイル１０１を駆動するように構成されている。なお、制御装置／システム１０７には、金融ネットワーク、開閉ゲート、サーバーなどの制御対象３００に接続されている。
【００３６】
以上の構成からなる腕時計１においては、アウターケース５の内部にデータキャリアＩＣ２４とアンテナコイル２６とからなるデータキャリアモジュール２２が収容配置されおり、また、このアウターケース５は着脱自在である。したがって、このアウターケース５を装着することより、インナーケース４の内部構造、時計用ＬＳＩ基板２１やＬＣＤ表示パネル２３の配置構造を変更することなく、腕時計１にデータキャリアモジュール２２を配置することができる。したがって、置き忘れ等のリスクを解消しつつ、現存する腕時計１を設計変更することなく、技術的にも容易に非接触データ通信機能を付加することが可能となる。また、データキャリアモジュール２２を個別配置することなく、時計本体２のアウターケース５の内部に配置するようにしたことから、身体への装着に伴ってデータキャリアＩＣ２４とアンテナコイル２６とに外力が加わることもなく、データキャリアモジュール２２を日常的な携帯品である腕時計の時計本体内部に組み込んだり、腕時計のリストバンドに埋め込むことができる。よって、置き忘れ等のリスクを解消しつつ、耐久性を向上させることもできる。
図５は、データキャリアＩＣ２４からリーダー／ライター１００にデータを送信した場合の各部における信号を示した図である。
【００３７】
データキャリアＩＣ２４のメモリー２０８から図５に示す送信データＡをリーダー／ライター１００に供給する場合、前記図５に示す送信データＡは符号化部２０９、変調部２１０においてそれぞれ符号化、変調処理されて、データキャリア側アンテナコイル２６からはキャリア周波数Ｂで送信信号Ｃが放射される。この状態で、腕時計１を腕に装着したユーザーがリーダー／ライター側アンテナコイル１０１が配置されている場所に近づくと、前記リーダー／ライター１００から応答信号が送出されてデータキャリア側アンテナコイル２２は誘導電磁波により受信信号Ｄを受信する。すると、データキャリアＩＣ２４のクロック再生部２０３は、再生クロックＥを生成してＩＣカード制御部２０７に送出し、符号部２０５は復調部２０４からの信号に基づき、受信データＦを生成してＩＣカード制御部２０７に送出する。
【００３８】
ここで、前記受信信号Ｄは、プリアンプル／同期信号データブロック、制御命令データブロック、アドレス＆データブロック、符号データブロック、ポストアンプル／同期データブロックなどで構成されている。
【００３９】
また、前記送信信号Ｃは、プリアンプル／同期データブロック、制御命令データブロック、読出データブロック、符号データブロック、ポストアンプル／同期データブロックで構成されている。
【００４０】
そして、リーダー／ライター１００側からキャリアを送信すると、これを受信したデータキャリアＩＣ２４側は、パワーＯＮリセット信号と初期出力（ＩＤなど）信号を送信した後、受信待ちの状態となる。すると、リーダー／ライター１００側は、データキャリアＩＣ２４側の受信待ち許容時間が経過する前に、受信モード要求と命令を送信する。データキャリアＩＣ２４側は、前記受信モード要求と命令の受信処理をした後、応答信号を送信し、再び受信待ち状態となる。したがって、この応答がリーダー／ライター１００側で受信されて、制御装置／システム１０７が制御対象３００を制御することにより、金融ネットワークへの接続、ゲートの開閉、所定のサーバーへの接続がなされる。したがって、この腕時計１を腕に装着しておくことにより、金融ネットワークへの接続、ゲートの開閉、所定のサーバーへに接続する等の所定の制御対象３００を制御することが可能となる。
【００４１】
（第２の実施の形態）
図６は、本発明の第２の実施の形態を示すものであり、この実施の形態において時計本体２は、アウターケース５を含んで構成されている。但し、第１の実施の形態とは異なりアウターケース５にはデータキャリアモジュール２２が収容配置されてはいない。そして、アウターケース５はその内側に配置され図示を省略したインナーケース４（図３参照）に結合されている。
【００４２】
アウターケース５上面部には、樹脂製のベゼル２９が着脱自在に設けられている。このベゼル２９の内部には、データキャリアモジュール２２が収容配置されている。データキャリアモジュール２２は、前述の図４に示した回路を有するデータキャリアＩＣ２４と、このデータキャリアＩＣ２４に接続され電磁誘導により信号を送受信するためのアンテナコイル２６とによって構成されている。そして、アンテナコイル２６は、ベゼル２９の中央部に設けられている開口部２９ａを囲繞するように配置されている。
【００４３】
なお、アウターケース５及びベゼル２９以外の構成は、図３に示した第１の実施の形態と同一であるので、同一部分に同一符号を付して説明を省略する。
【００４４】
以上の構成からなる腕時計１においては、ベゼル２９の内部にデータキャリアＩＣ２４とアンテナコイル２６とからなるデータキャリアモジュール２２が収容配置されおり、また、このベゼル２９は着脱自在である。したがって、このベゼル２９を装着することより、インナーケース４の内部構造、時計用ＬＳＩ基板２１やＬＣＤ表示パネル２３の配置構造を変更することなく、腕時計１にデータキャリアモジュール２２を配置することができる。したがって、置き忘れ等のリスクを解消しつつ、現存する腕時計１を設計変更することなく、技術的にも容易に非接触データ通信機能を付加することが可能となる。また、リストバンド３にデータキャリアモジュール２２を配置することなく、時計本体２のベゼル２９に配置するようにしたことから、身体への装着に伴ってデータキャリアＩＣ２４とアンテナコイル２６に外力が加わることもなく、データキャリアモジュール２２を日常的な携帯品である腕時計の時計本体内部に組み込んだり、腕時計のリストバンドに埋め込むことができる。よって、置き忘れ等のリスクを解消しつつ、耐久性を向上させることもできる。
【００４５】
（第１及び第２の実施の形態の変形例）
▲１▼第１の実施の形態の変形例
図７は、前記第１の実施の形態の変形例を示すものである。この変形例においては、前述した第１の実施の形態と同様に、アウターケース５は、時計本体２のインナーケース４に着脱自在であって、その内部に前述の図４に示した回路を有するデータキャリアＩＣ２４と、このデータキャリアＩＣ２４に接続され電磁誘導により信号を送受信するためのアンテナコイル２６とからなるデータキャリアモジュール２２が収容配置されている。しかし、第１の実施の形態とは異なり、リストバンド３は時計本体２のインナーケース４側ではなく、アウターケース５に複数のビス３０により係着されている。
【００４６】
したがって、この変形例においては、（ａ）に示したリストバンド３が係着されたアウターケース５を、（ｂ）に示した時計本体２のインナーケース４に被覆させて装着することにより、（ｃ）に示すように腕時計１が完成する。よって、時計本体２を設計変更することなく、腕時計１にデータキャリアモジュール２２を配置することができる。
【００４７】
▲２▼第２の実施の形態の変形例
図８は、前記第２の実施の形態の変形例を示すものである。この変形例においては、前述した第２の実施の形態と同様に、ベゼル２９は、時計本体２のアウターケース５に着脱自在であって、その内部にデータキャリアＩＣ２４とアンテナコイル２６とからなるデータキャリアモジュール２２が収容配置されている。しかし、第２の実施の形態とは異なり、ベゼル２９には前記開口部２９ａを囲繞する環状部２９ｂとこの環状部２９ｂの一部に設けられ外側に突出する突出部２９ｃとが設けられている。そして、アンテナコイル２６は環状部２９ｂ内に収容配置され、データキャリアＩＣ２４は突出部２９ｃ内に収容配置されている。
【００４８】
したがって、この変形例においては、（ｂ）に示したベゼル２９を、（ａ）に示した時計本体２のアウターケース５に装着することにより、腕時計１が完成する。よって、時計本体２を設計変更することなく、腕時計１にデータキャリアモジュール２２を配置することができる。しかも、アンテナコイル２６を環状部２９ｂに収容配置し、データキャリアＩＣ２４を突出部２９ｃに収容配置することにより、ベゼル２９の形状を有効に利用して、データキャリアモジュール２２を配置することができる。
【００４９】
▲３▼第１及び第２の実施の形態の変形例
図９は、前記第１及び第２の実施の形態の変形例を示すものである。この変形例において時計本体２は、各々データキャリアＩＣ２４とアンテナコイル２６とからなるデータキャリアモジュール２２が収容配置されたベゼル２９とアウターケース５とを選択的に装着できるように構成されている。また、ベゼル２９には、時計本体２に設けられているアナログ時計表示部２ａを囲繞する第１の窓部２９ｄと、デジタル時計表示部２ｂを囲繞する第２の窓部２９ｆとが設けられている。
【００５０】
したがって、この変形例においては、（ｂ）に示したベゼル２９を（ａ）に示した時計本体２に装着しても、あるいは（ｃ）に示したアウターケース５を（ａ）に示した時計本体２に装着しても、腕時計１が完成する。よって、時計本体２を設計変更することなく、腕時計１にデータキャリアモジュール２２を配置することができる。しかも、ベゼル２９には、第１の窓部２９ｄと第２の窓部２９ｆとが設けられていることから、時計本体２にアナログ時計表示部２ａとデジタル時計表示部２ｂとが設けられていても、これらの視認性を低下させることはない。  また、（ｄ）（ｅ）（ｆ）に示したように、データキャリアモジュール２２が設けられておらずデザインが異なるベゼル２９やアウターケース５を選択的に装着することにより、通常の腕時計としても使用することができるとともにそのファッション性を高めることもできる。
【００５１】
（第３の実施の形態）
図１０〜図１２は、本発明の第３の実施の形態を示すものであり、図１０は本実施の形態の断面図、図１１は分解斜視図、図１２（ａ）はリング部材の断面図、同図（ｂ）はリング部材の斜視図である。この実施の形態において、アウターケース５は第１の実施の形態とは異なり、データキャリアモジュール２２が配置されてはいない。
【００５２】
他方、裏蓋１７の下面側には、環状の凹部１７ａが形成され、この凹部１７ａ内には、樹脂製のリング部材３１が着脱自在に装着されている。このリング部材３１の内部に、データキャリアモジュール２２が収容配置されている。データキャリアモジュール２２は、前述の図４に示した回路を有するデータキャリアＩＣ２４と、このデータキャリアＩＣ２４に接続され電磁誘導により信号を送受信するためのアンテナコイル２６とによって構成されている。そして、アンテナコイル２６は、リング部材３１の中央部に設けられている開口部３１ａを囲繞するように配置されている。
【００５３】
なお、アウターケース５、裏蓋１７、及びリング部材３１以外の構成は、図３に示した第１の実施の形態と同一であるので、同一部分に同一符号を付して説明を省略する。
【００５４】
以上の構成からなる腕時計１においては、リング部材３１内にデータキャリアＩＣ２４とアンテナコイル２６とからなるデータキャリアモジュール２２が収容配置されおり、また、このリング部材３１は裏蓋１７に形成された凹部１７ａに着脱自在である。したがって、このリング部材３１を装着することより、インナーケース４の内部構造、時計用ＬＳＩ基板２１やＬＣＤ表示パネル２３の配置構造を変更することなく、腕時計１にデータキャリアモジュール２２を配置することができる。したがって、置き忘れ等のリスクを解消しつつ、現存する腕時計１を設計変更することなく、技術的にも容易に非接触データ通信機能を付加することが可能となる。また、リストバンド３にデータキャリアＩＣ２４とアンテナコイル２６とからなるデータキャリアモジュール２２を配置することなく、時計本体２のリング部材３１に配置するようにしたことから、身体への装着に伴ってデータキャリアＩＣ２４とアンテナコイル２６に外力が加わることもなく、データキャリアモジュール２２を日常的な携帯品である腕時計の時計本体内部に組み込んだり、腕時計のリストバンドに埋め込むことができる。よって、置き忘れ等のリスクを解消しつつ、耐久性を向上させることもできる。
【００５５】
（第４の実施の形態）
図１３は、本発明の第４の実施の形態を示すものであり、この実施の形態においては第１のリング部材４１と第２のリング部材４２とを用いる。両リング部材４１、４２の構成は、前述した第３の実施の形態におけるリング部材３１と同様であり、その内部にデータキャリアＩＣ２４とアンテナコイル２６とからなるデータキャリアモジュール２２が収容配置されている。また、時計本体２の裏蓋１７（図１３参照）の構成も第３の実施の形態と同様であり、前記凹部１７ａ内に第１のリング部材４１が着脱自在に配置されている。更に、アウターケース５の上面に第２のリング部材４２が着脱自在に配置されている。
【００５６】
したがって、この実施の形態によれば、第１のリング部材４１側に配置されたデータキャリアモジュール２２により、電磁誘導式や電磁結合方式の各種リーダ／ライタ又は質問機と非接触でデータ通信を行うことができ、かつ、第２のリング部材４２側に配置されたデータキャリアモジュール２２により、他のリーダ／ライタ又は質問機と非接触でデータ通信を行うことができる。したがって、現存する腕時計１の内部構造を変更したり内部の回路配置を設計変更することなく、技術的にも容易に異なる２種のリーダ／ライタ又は質問機と非接触通信可能なデータ通信機能を付加することができる。
【００５７】
（リング部材実施の形態）
なお、前記リング部材（図１１：３１、図１３：４１、４２）は、図１４の（ａ）〜（ｄ）に示したいずれであってもよい。すなわち、（ａ）は空芯コイルであって、リング状の非導電体３２の外周にアンテナコイル２６が巻装されているものである。（ｂ）〜（ｄ）は、磁芯入りコイルであって、（ｂ）はリング状の非導電体３２内に磁芯３３（又は磁性体）が配置され、非導電体３２にアンテナコイル２６が巻装されているものである。（ｃ）は、リング状の非導電体３２の内周面に磁芯３３（又は磁性体）が配置され、外周面にアンテナコイル２６が巻装されているものである。（ｄ）は、リング状の磁性体３４の外周面にアンテナコイル２６が巻装されているものである。
【００５８】
（第５の実施の形態）
図１５〜図２１は、本発明の第５の実施の形態を示すものである。図１５及び図１５〜図１７に示すように、この実施の形態においては、前述の図６に示した第２の実施の形態と同様に、時計本体２は、データキャリアモジュール２２が収容配置されてはいないアウターケース５を含んで構成されている。そして、アウターケース５はその内側に配置されたインナーケース４に結合され、アウターケース５上面部には、樹脂製のベゼル２９が着脱自在に設けられている。
【００５９】
このベゼル２９の下面側には、データキャリアＩＣ２４とアンテナコイル２６とからなるデータキャリアモジュール２２が配置された回路基板５０が取り付けられている。そして、アンテナコイル２６は、ベゼル２９の中央部に設けられている開口部２９ａを囲繞するように配置されている。さらに、回路基板５０の下面側には、前記データキャリアＩＣ２４に接続された弾性を有する一対の端子５１、５１が突設されている。一方、時計本体２の上面には、アウターケース５より突出する金属ピン５２、５２が設けられている。この金属ピン５２は、端子５３、５３を介して時計用ＬＳＩ基板２１に接続されているとともに、前記端子５１、５１に接触している。
【００６０】
図１８は、前記データキャリアモジュール２２とリーダー／ライター１００の構成、及び時計用ＬＳＩ基板２１に設けられた回路の構成を示すブロック図である。このブロック図において、リーダー／ライター１００の構成は図４に示した第１の実施の形態と同一であるので、同一部分に同一符号を付して説明を省略する。また、データキャリアモジュール２２のデータキャリアＩＣ２４は、メモリー２０８とＩＣカード／データキャリアの制御部２１１の構成、及び前記端子５１、５１に接続されたデータ入出力インターフェース２１２を備える点において、図４に示した第１の実施の形態とは異なるが、他は同一であるので、同一部分に同一符号を付して説明を省略する。すなわち、メモリー２０８には、ユーザー読出し禁止エリア２０８ａとユーザー読出し許容エリア２０８ｂとが設けられ、ＩＣカード／データキャリアの制御部２１１には、ユーザー認証部２１１ａが設けられている。
【００６１】
一方、時計用ＬＳＩ基板２１に設けられた回路には、前記金属ピン５２、５２に接続されかつ時計制御部４０１に接続されたデータ入出力インターフェース４０２が設けられている。時計制御部４０１には、所定周期のクロック信号を生成する発振器４０３、前記操作ボタン１０の操作情報を入力する入力部４０４、前記ＬＣＤ表示パネル２３に表示制御信号を出力する表示出力部４０５、前記電圧ブザーを駆動する報知出力部４０６、及びメモリー４０７が接続されている。メモリー４０７には、ユーザー認証用データＤ１及びユーザー読み出しデータＤ２が記憶されている。
【００６２】
すなわち、この本実施の形態においては、ＩＣカード／データキャリアの制御部２１１を時計制御部４０１に接続させることにより、セキュリティを損なわずに、残高や残回数、利用履歴など、データキャリアＩＣ２４内に記憶されたシステムの利用状況のみを時計本体２側から読み出し可能とし、データキャリアＩＣ２４側では時計本体２の入力部４０４やメモリー４０７、あるいは電源を使用可能に構成されている。このため、データキャリアＩＣ２４のメモリー２０８に、時計本体２側からの読み出しが可能なユーザー読出し許容エリア２０８ｂを設ける一方、読み出しが不可能なユーザー読出し禁止エリア２０８ａを設けてセキュリティを確保している。
【００６３】
また、ＩＣカード／データキャリアの制御部２１１にユーザー認証部２１１ａを設け、このユーザー認証部２１１ａで認証ＯＫの場合以外は、アクセスできない構成とすることによっても、セキュリティを確保するようにしている。したがって、ユーザー認証部２１１ａは、正当なユーザーの認証用に、デバイス識別番号、製造シリアル番号、ユーザー暗証などの照合回路若しくは暗号／復号回路などを内蔵する。
【００６４】
また、時計本体２のメモリー４０７には、前記ユーザー認証部２１１ａでの認証に必要なユーザー認証用データＤ１が格納されているとともに、認証後データキャリアＩＣ２４側から読み出したユーザー読み出しデータＤ２が格納され、このユーザー読み出しデータＤ２が、表示出力部４０５を介してＬＣＤ表示パネル２３に出力されて表示される。
【００６５】
したがって、ＬＣＤ表示パネル２３には、図１９（ａ）に示すように時計表示を行うことができるのみならず、前記ユーザー読み出しデータＤ２に基づき、（ｂ）に示すようにカード選択メニューを表示し、さらに（ｃ）に示すようにカード選択メニューから選択されたクレジットカードを表示することができる。また、マイクロペイメントカード（ｄ）、定期券（ｅ）、プリペイド乗車券カード（ｆ）、ポイントカード（ｇ）、身分証明書（ｈ）、デバイスＩＤ等のシステムデータ（ｉ）を表示することができる。したがって、時計本体２のＬＣＤ表示パネル２３を有効利用して、データキャリアＩＣ２４の用途に応じた各種表示を行うことが可能となる。
【００６６】
なお、時計本体２からはデータキャリアＩＣ２４のメモリー２０８の各エリア２０８ａ、２０８ｂを直接指定せず、認証とともに情報要求（残高、残回数、有効回数、利用履歴、所有者情報の照会など）のコマンドのみデータキャリアＩＣ２４に送り、データキャリアＩＣ２４がこれに応答して、認証成功の場合のみユーザー読出し許容エリア２０８ｂの情報を読み出して出力する構成としてもよい。
【００６７】
図２０は、前記データ入出力インターフェース２１２、４０２を２線式シリアルインターフェースとした場合の回路構成例を示す図である。すなわち、クロック信号線ＳＣＫとデータ信号線ＳＤＡとは、夫々スタート／ストップ制御部５０１、シリアル制御部（Ｌｏｇｉｃ）５０２、デバイスアドレス比較部５０３に接続され、データ信号線ＳＤＡは更にＤｉｎ／Ｄｏｕｔ  Ａｃｋ制御部（Ｌｏｇｉｃ）５０４に接続している。前記タート／ストップ制御部５０１は、シリアル制御部５０２を介して昇圧回路／タイミング制御部５０５に接続され、シリアル制御部５０２は、前記デバイスアドレス比較部５０３とアドレスカウンタ（Ｄａｔａ／Ｗａｒｄ）５０６に接続されている。また、アドレスカウンタ５０６には、前記デバイスアドレス比較部５０３が接続されているとともに、Ｙ−デコーダー５０７が接続されている。そして、データメモリー、入出力レジスタ、表示用メモリー等のメモリー群５０８に、昇圧回路／タイミング制御部５０５、アドレスカウンタ５０６、Ｙ−デコーダー５０７及びＤｉｎ／Ｄｏｕｔ  Ａｃｋ制御部５０４から各々信号が入力され、Ｄｉｎ／Ｄｏｕｔ  Ａｃｋ制御部５０４からの出力データ等（Ｄｏｕｔ  Ａｃｋ）がデータ信号線ＳＤＡから出力されるように構成されている。
【００６８】
図２１は、前記２線式シリアルインターフェースにおいて、時計本体２側とデータキャリアモジュール２２側との間で送受信されるデータの構成例を示すものである。本例では、同図（Ａ）（Ｂ）に示すように、スタートビットＳとストップビットＰとを用いる所謂調歩式（非同期式）で、スタートビットＳで送信を開始し、８ビットずつシリアル伝送し、最後にストップビットＰを送信して終了する。受信側では各８ビット毎にデータの受信を確認すると、確認応答信号ＡＣＫをデータ送信側に返信する。このとき、伝送するシリアルデータは、同図（Ａ）に例示するように、スタートビットＳが先頭部、ストップビットＰが末尾部にそれぞれ設定され、８ビット単位でスレーブアドレス、ワードアドレス、データと設定されており、８ビット単位で受信側から送信される確認応答信号ＡＣＫの受信を確認できるようになっている。したがって、図２１に示したデータを図２０に示した２線式シリアルインターフェースを介して、時計本体２側とデータキャリアモジュール２２側との間で送受信することにより、前述したように、時計本体２のＬＣＤ表示パネル２３を有効利用して、データキャリアＩＣ２４の用途に応じた各種表示を行うことが可能となる。
【００６９】
なお、第５の実施の形態においてのみ、端子５１、５１及び金属ピン５２、５２を介して、データキャリアＩＣ２４と時計用ＬＳＩ基板２１を接続させるようにしたが、他の実施の形態においても同様に端子５１、５１及び金属ピン５２、５２、端子５３、５３を設けて、データキャリアＩＣ２４と時計用ＬＳＩ基板２１を接続させるようにしてもよい。
【００７０】
また、前述のように時計本体２側でのスイッチ操作により、データキャリアＩＣ２４側の処理を操作できるので、時計本体２からの操作により、例えばリーダー／ライター側に近接すると、自動的に課金処理してしまう非接触式ＩＣカード等の機能を必要に応じて任意にオン・オフ操作できるようにしたり、内蔵のアプリケーション毎に利用、非利用を設定できるきようにしてもよい。
更に、時計本体２側に暗証番号（ＰＩＮ）の入力照合や指紋認証などの認証手段を設けるとともに、認証の照合検証がＯＫである場合にのみ、時計本体２側からデータキャリアＩＣ２４側へ操作信号やコマンド信号を送信する制御手段を設けるようにしてもよい。
また、時計本体２やリストバンド３に、腕などの身体に装着中か否かを検出する装着センサを設けて、装着をやめた場合は、データキャリアＩＣ２４の機能を自動的にオフ、あるいは停止させるように制御したり、データキャリアＩＣ２４へのコマンド送出やデータ受信を停止させたり、また前述の認証機能を停止させたり、認証結果を削除するなど、装着状体に応じてデータキャリアＩＣ２４の機能を制御する手段を設けるようにしてもよい。
【００７１】
【発明の効果】
【００７２】
以上説明したように請求項１、４、９に係る発明によれば、装置本体の内部構造を変更したり内部の回路配置を変更することなく、アンテナコイルとデータ通信手段とを配置することができる。よって、置き忘れ等のリスクを解消しつつ、現存する身体装着型の機器における装置本体の内部構造を変更したり内部の回路配置を設計変更することなく、技術的にも容易に非接触データ通信機能を付加することが可能となる。また、身体への装着に伴ってアンテナコイルとデータ通信手段とに外力が加わることもなく、よって、置き忘れ等のリスクを解消しつつ、耐久性を向上させることもできる。
【００７３】
また、請求項２、５、１０に係る発明によれば、外部の通信装置と非接触でデータ通信を行う際に、データ通信装置のアンテナコイルと外部通信装置のアンテナコイルとの間に誘導電磁界が支障なく形成され、アンテナコイルを介して外部の通信装置と非接触でデータ通信する際のデータ通信精度を向上させることができる。
【００７４】
また、請求項３、６、１１に係る発明によれば、既存の装置本体に容易に非接触データ通信機能を付加することができるばかりでなく、ユーザーの嗜好や用途、サービスによって、データ通信装置の外観デザインやスタイルも自由に選択あるいは変更できる。また、このデータ通信装置を利用するシステムを採用するサービス業者等にとっても、アンテナコイルとデータ通信手段とが配置されたアウターケースやベゼル、あるいはリング部材のみを製造して、低コストで、多様なデザインのデータ通信装置をユーザーに提供できるメリットを与えることができる。さらに、厚さ方向における部品の重畳を少なくすることができ、着脱自在であっても装置全体の薄型化を図ることができる。
【００７５】
また、請求項７に係る発明によれば、環状部と突出部とを有するベゼルの形状を有効に利用して、アンテナコイルとデータ通信手段と困難性を伴わずに配置することができる。
【００７６】
また、請求項８に係る発明によれば、装置本体がアナログ時計表示部とデジタル時計表示部とを有する時計本体であっても、アナログ時計表示部とデジタル時計表示部の視認性を低下させることなく、非接触データ通信機能を付加することが可能となる。
【００７７】
また、請求項１２に係る発明によれば、現存する装置本体の内部構造を変更したり内部の回路配置を設計変更することなく、技術的にも容易に異なる２種の外部通信装置と非接触でデータ通信を行う機能を付加することができる。
【００７８】
また、請求項１３に係る発明によれば、現存する身体装着型の機器における装置本体の内部構造を変更したり内部の回路配置を設計変更することなく、データ通信手段と装置本体内部の回路とのデータ送受信を達成することができる。したがって、窓口機やリーダーライターが近くにない場合やカードを利用する事前でも、装置本体側に設けられている表示部で、例えばプリペイドの残額や履歴等を確認することができる等、利便性を高めることができる。また、装置本体に設けられているスイッチの操作により、装置本体からデータ通信手段側に命令コマンド等を送信して、データ通信手段内の表示データを選択したり、認証処理や決済処理、使用アプリケーションや口座を選択するなど、データ通信手段の処理を操作することもできるので、複数の口座やアプリケーションが記憶されているデータ通信手段でも指定選択して利用することが可能となる。また、複数のアンテナコイルとデータ通信手段とを脱着式に装置本体に装着して、データ通信手段内のデータの内容を確認できる携帯型カードリーダーとして利用することも可能となる。
【図面の簡単な説明】
【図１】本発明の第１の実施の形態を示す断面図である。
【図２】本発明の第１の実施の形態の分解断面図である。
【図３】本発明の第１の実施の形態の分解斜視図である。
【図４】データキャリアモジュールとリーダー／ライターの回路構成を示すブロック図である。
【図５】データキャリアモジュールとリーダー／ライターの送受信動作時における信号を示す図である。
【図６】本発明の第２の実施の形態を示す分解斜視図である。
【図７】第１の実施の形態の変形例を示す平面図である。
【図８】第２の実施の形態の変形例を示す平面図である。
【図９】第１及び第２の実施の形態の変形例を示す平面図である。
【図１０】本発明の第３の実施の形態を示す断面図である。
【図１１】本発明の第３の実施の形態の分解斜視図である。
【図１２】リング部材の断面図及び斜視図である。
【図１３】本発明の第４の実施の形態を示す分解斜視図である。
【図１４】リング部材実施の形態を示す断面図である
【図１５】本発明の第５の実施の形態を示す断面図である。
【図１６】本発明の第５の実施の形態の分解断面図である。
【図１７】本発明の第５の実施の形態の分解斜視図である。
【図１８】データキャリアモジュールとリーダー／ライターの回路構成、及び時計用ＬＳＩ基板に設けられた回路の構成を示すブロック図である。
【図１９】ＬＣＤ表示パネルでの表示例を示す図である。
【図２０】２線式シリアルインターフェースの回路構成例を示す図である。
【図２１】同２線式シリアルインターフェースにおける送受信信号を示す図である。
【符号の説明】
１    腕時計
２    時計本体
２ａ    アナログ時計表示部
２ｂ    デジタル時計表示部
４    インナーケース
５    アウターケース
５ａ    開口部
７    データキャリア側アンテナコイル
８    風防ガラス
１０    操作ボタン
１４    時計モジュール
１７    裏蓋
１７ａ    凹部
２１    時計用ＬＳＩ基板
２２    データキャリアモジュール
２３    ＬＣＤ表示パネル
２４    データキャリアＩＣ
２６    アンテナコイル
２９    ベゼル
２９ａ    開口部
２９ｂ    環状部
２９ｃ    突出部
２９ｄ    第１の窓部
２９ｆ    第２の窓部
３１ａ    開口部
３１    リング部材
３２    非導電体
４１    第１のリング部材
４２    第２のリング部材
５１    端子
５２    金属ピン
１００    リーダー／ライター
１０１    リーダー／ライター側アンテナコイル
【図１】
2004214879.tif 000003
【図２】
2004214879.tif 000004
【図３】
2004214879.tif 000005
【図４】
2004214879.tif 000006
【図５】
2004214879.tif 000007
【図６】
2004214879.tif 000008
【図７】
2004214879.tif 000009
【図８】
2004214879.tif 000010
【図９】
2004214879.tif 000011
【図１０】
2004214879.tif 000012
【図１１】
2004214879.tif 000013
【図１２】
2004214879.tif 000014
【図１３】
2004214879.tif 000015
【図１４】
2004214879.tif 000016
【図１５】
2004214879.tif 000017
【図１６】
2004214879.tif 000018
【図１７】
2004214879.tif 000019
【図１８】
2004214879.tif 000020
【図１９】
2004214879.tif 000021
【図２０】
2004214879.tif 000022
【図２１】
2004214879.tif 000023